(57)【要約】【課題】診断で参照される画像の間の位置関係を容易に把握することが可能なＸ線ＣＴ装置を提供する。【解決手段】実施形態に係るＸ線ＣＴ装置は、収集部と、画像形成部と、生成部と、表示部と、制御部とを有する。収集部は、被検体をＸ線でスキャンしてデータを収集する。画像形成部は、収集されたデータを第１の再構成条件及び第２の再構成条件でそれぞれ再構成して第１の画像及び第２の画像を形成する。生成部は、収集されたデータに基づいて、第１の画像と第２の画像との間の位置関係を表す位置関係情報を生成する。制御部は、位置関係情報に基づく表示情報を表示部に表示させる。【選択図】図１
2013153831.tif 000002
【特許請求の範囲】
【請求項１】
被検体をＸ線でスキャンしてデータを収集する収集部と、
収集された前記データを第１の再構成条件及び第２の再構成条件でそれぞれ再構成して第１の画像及び第２の画像を形成する画像形成部と、
収集された前記データに基づいて、前記第１の画像と前記第２の画像との間の位置関係を表す位置関係情報を生成する生成部と、
表示部と、
前記位置関係情報に基づく表示情報を前記表示部に表示させる制御部と
を有するＸ線ＣＴ装置。
【請求項２】
前記画像形成部は、
前記収集部により収集されたデータに前処理を施して投影データを生成する前処理部と、
前記第１の再構成条件及び前記第２の再構成条件に基づき前記投影データに再構成処理を施して第１のボリュームデータ及び第２のボリュームデータをそれぞれ生成する再構成処理部と、
前記第１のボリュームデータ及び前記第２のボリュームデータにレンダリング処理を施して前記第１の画像及び前記第２の画像をそれぞれ形成するレンダリング処理部と
を含み、
前記生成部は、前記投影データに基づいて前記位置関係情報を生成する
ことを特徴とする請求項１に記載のＸ線ＣＴ装置。
【請求項３】
前記収集部は、Ｘ線の照射方向を固定して前記被検体をスキャンすることによりスキャノグラムを取得し、
前記生成部は、前記スキャノグラムに基づいて前記位置関係情報を生成する
ことを特徴とする請求項１に記載のＸ線ＣＴ装置。
【請求項４】
前記第１の再構成条件及び前記第２の再構成条件は、互いに重複するＦＯＶ（ｆｉｅｌｄ  ｏｆ  ｖｉｅｗ）を条件項目として含み、
前記制御部は、前記表示情報として前記第１の画像のＦＯＶを表すＦＯＶ画像を前記第２の画像に重ねて表示させる
ことを特徴とする請求項１〜請求項３のいずれか一項に記載のＸ線ＣＴ装置。
【請求項５】
操作部を更に有し、
前記操作部を用いて前記ＦＯＶ画像が指定されたときに、前記制御部は、前記第１の画像を前記表示部に表示させる
ことを特徴とする請求項４に記載のＸ線ＣＴ装置。
【請求項６】
前記操作部を用いて前記ＦＯＶ画像が指定されたときに、前記制御部は、前記第２の画像から前記第１の画像に切り替え表示する第１の表示制御、前記第１の画像及び前記第２の画像を並列表示させる第２の表示制御、及び、前記第１の画像及び前記第２の画像を重畳表示させる第３の表示制御のうちのいずれかを実行する
ことを特徴とする請求項５に記載のＸ線ＣＴ装置。
【請求項７】
操作部を更に有し、
前記表示部に前記第２の画像が表示されているときに前記操作部が操作されたことに対応し、前記制御部は、前記ＦＯＶ画像を前記第２の画像に重ねて表示させる
ことを特徴とする請求項４に記載のＸ線ＣＴ装置。
【請求項８】
前記画像形成部は、ＦＯＶの条件項目の設定内容として最大ＦＯＶを含む第３の再構成条件で再構成を行なうことで、第３の画像を形成し、
前記制御部は、前記表示情報として前記第１の画像のＦＯＶ画像及び前記第２の画像のＦＯＶ画像を前記第３の画像に重ねて表示させる
ことを特徴とする請求項４〜請求項７のいずれか一項に記載のＸ線ＣＴ装置。
【請求項９】
操作部を更に有し、
前記第１の再構成条件及び前記第２の再構成条件のそれぞれは、条件項目としてＦＯＶを含み、
前記制御部は、前記第１の画像のＦＯＶを表すＦＯＶ情報及び前記第２の画像のＦＯＶを表すＦＯＶ情報の一覧情報を前記表示情報として前記表示部に表示させ、
前記ＦＯＶ情報が前記操作部を用いて指定されたときに、前記制御部は、指定されたＦＯＶに対応する画像を前記表示部に表示させる
ことを特徴とする請求項１〜請求項３のいずれか一項に記載のＸ線ＣＴ装置。
【請求項１０】
前記画像形成部は、ＦＯＶの条件項目の設定内容として最大ＦＯＶを含む第３の再構成条件で再構成を行なうことで、第３の画像を形成し、
前記制御部は、前記一覧情報として、前記第１の画像のＦＯＶ情報及び前記第２の画像のＦＯＶ情報を、前記最大ＦＯＶを表すＦＯＶ情報に重ねて表示させる
ことを特徴とする請求項９に記載のＸ線ＣＴ装置。
【請求項１１】
前記制御部は、前記第１の再構成条件及び前記第２の再構成条件に含まれる１以上の条件項目の設定内容を前記表示部に表示させる
ことを特徴とする請求項１〜請求項１０のいずれか一項に記載のＸ線ＣＴ装置。
【請求項１２】
前記制御部は、前記第１の再構成条件及び前記第２の再構成条件の間において設定内容が互いに異なる条件項目がある場合に、当該条件項目の設定内容を他の条件項目の設定内容と異なる態様で表示させる
ことを特徴とする請求項１１に記載のＸ線ＣＴ装置。
【発明の詳細な説明】
【技術分野】
【０００１】
この発明の実施形態はＸ線ＣＴ装置に関する。
【背景技術】
【０００２】
Ｘ線ＣＴ（Ｃｏｍｐｕｔｅｄ  Ｔｏｍｏｇｒａｐｈｙ）装置は、被検体をＸ線でスキャンしてデータを収集し、収集されたデータをコンピュータで処理することにより、被検体の内部を画像化する装置である。
【０００３】
具体的には、Ｘ線ＣＴ装置は、被検体に対してＸ線を異なる方向から複数回曝射し、被検体を透過したＸ線をＸ線検出器にて検出して複数の検出データを収集する。収集された検出データはデータ収集部によりＡ／Ｄ変換された後、データ処理系に送信される。データ処理系は、検出データに前処理等を施すことで投影データを形成する。続いて、データ処理系は、投影データに基づく再構成処理を実行して断層画像データを形成する。また、データ処理系は、更なる再構成処理として、複数の断層画像データに基づきボリュームデータを形成する。ボリュームデータは、被検体の３次元領域に対応するＣＴ値の３次元分布を表すデータセットである。
【０００４】
再構成処理は、任意に設定された再構成条件を適用して行われる。また、様々な再構成条件を適用して１つの投影データから複数のボリュームデータを形成することも行われている。なお、再構成条件には、ＦＯＶ（ｆｉｅｌｄ  ｏｆ  ｖｉｅｗ）、再構成関数などがある。
【０００５】
Ｘ線ＣＴ装置は、ボリュームデータを任意の方向にレンダリングすることによりＭＰＲ（Ｍｕｌｔｉ  Ｐｌａｎａｒ  Ｒｅｃｏｎｓｔｒｕｃｔｉｏｎ）表示を行うことができる。ＭＰＲ表示された断面画像（ＭＰＲ画像）には、直交３軸画像とオブリーク画像がある。直交３軸画像とは、体軸に対する直交断面を示すアキシャル像、体軸に沿って被検体を縦切りした断面を示すサジタル像、及び、体軸に沿って被検体を横切りした断面を示すコロナル像を示す。オブリーク画像は、直交３軸画像以外の断面を示す画像である。また、Ｘ線ＣＴ装置は、任意の視線を設定してボリュームデータをレンダリングすることで、この視線から被検体の３次元領域を見たときの擬似的３次元画像を形成する。
【先行技術文献】
【特許文献】
【０００６】
【特許文献１】特開２００５−９５３２８号公報
【発明の概要】
【発明が解決しようとする課題】
【０００７】
画像診断においては、様々な再構成条件のボリュームデータから得られた多数の画像（ＭＰＲ画像、擬似的３次元画像等）が参照される。これら画像は、視野の大きさ、視野の位置、断面位置等が異なっている。よって、これら画像の間の位置関係を把握しながら診断を行うことは極めて難しい。また、各画像がどのような再構成条件で得られたものか把握することも困難である。
【０００８】
この発明が解決しようとする課題は、診断で参照される画像の間の位置関係を容易に把握することが可能なＸ線ＣＴ装置を提供することである。
【課題を解決するための手段】
【０００９】
実施形態に係るＸ線ＣＴ装置は、収集部と、画像形成部と、生成部と、表示部と、制御部とを有する。収集部は、被検体をＸ線でスキャンしてデータを収集する。画像形成部は、収集されたデータを第１の再構成条件及び第２の再構成条件でそれぞれ再構成して第１の画像及び第２の画像を形成する。生成部は、収集されたデータに基づいて、第１の画像と第２の画像との間の位置関係を表す位置関係情報を生成する。制御部は、位置関係情報に基づく表示情報を表示部に表示させる。
【図面の簡単な説明】
【００１０】
【図１】実施形態に係るＸ線ＣＴ装置の構成を表すブロック図である。
【図２】実施形態に係るＸ線ＣＴ装置の動作例を表すフローチャートである。
【図３】実施形態に係るＸ線ＣＴ装置の動作例を説明するための概略図である。
【図４】実施形態に係るＸ線ＣＴ装置の動作例を説明するための概略図である。
【図５Ａ】実施形態に係るＸ線ＣＴ装置の動作例を説明するための概略図である。
【図５Ｂ】実施形態に係るＸ線ＣＴ装置の動作例を説明するための概略図である。
【図５Ｃ】実施形態に係るＸ線ＣＴ装置の動作例を説明するための概略図である。
【図６】実施形態に係るＸ線ＣＴ装置の動作例を表すフローチャートである。
【図７】実施形態に係るＸ線ＣＴ装置の動作例を説明するための概略図である。
【図８】実施形態に係るＸ線ＣＴ装置の動作例を説明するための概略図である。
【図９】実施形態に係るＸ線ＣＴ装置の動作例を表すフローチャートである。
【図１０】実施形態に係るＸ線ＣＴ装置の動作例を説明するための概略図である。
【図１１】実施形態に係るＸ線ＣＴ装置の動作例を説明するための概略図である。
【図１２】実施形態に係るＸ線ＣＴ装置の動作例を表すフローチャートである。
【図１３】実施形態に係るＸ線ＣＴ装置の動作例を説明するための概略図である。
【発明を実施するための形態】
【００１１】
実施形態に係るＸ線ＣＴ装置について図面を参照しながら説明する。
【００１２】
［構成］
図１を参照して、実施形態に係るＸ線ＣＴ装置１の構成例を説明する。なお、「画像」と「画像データ」は一対一に対応するので、これらを同一視する場合がある。
【００１３】
Ｘ線ＣＴ装置１は、架台装置１０と、寝台装置３０と、コンソール装置４０とを含んで構成される。
【００１４】
（架台装置）
架台装置１０は、被検体Ｅに対してＸ線を曝射し、被検体Ｅを透過したＸ線の検出データを収集する装置である。架台装置１０は、Ｘ線発生部１１と、Ｘ線検出部１２と、回転体１３と、高電圧発生部１４と、架台駆動部１５と、Ｘ線絞り部１６と、絞り駆動部１７と、データ収集部１８とを有する。
【００１５】
Ｘ線発生部１１は、Ｘ線を発生させるＸ線管球（たとえば、円錐状や角錐状のビームを発生する真空管。図示なし）を含んで構成される。発生されたＸ線は被検体Ｅに対して曝射される。
【００１６】
Ｘ線検出部１２は、複数のＸ線検出素子（図示なし）を含んで構成される。Ｘ線検出部１２は、被検体Ｅを透過したＸ線の強度分布を示すＸ線強度分布データ（以下、「検出データ」という場合がある）をＸ線検出素子で検出し、その検出データを電流信号として出力する。
【００１７】
Ｘ線検出部１２としては、たとえば、互いに直交する２方向（スライス方向とチャンネル方向）にそれぞれ複数の検出素子が配置された２次元Ｘ線検出器（面検出器）が用いられる。複数のＸ線検出素子は、たとえば、スライス方向に沿って３２０列設けられている。このように多列のＸ線検出器を用いることにより、１回転のスキャンでスライス方向に幅を有する３次元の領域を撮影することができる（ボリュームスキャン）。なお、スライス方向は被検体Ｅの体軸方向に相当し、チャンネル方向はＸ線発生部１１の回転方向に相当する。
【００１８】
回転体１３は、Ｘ線発生部１１とＸ線検出部１２とを被検体Ｅを挟んで対向する位置に支持する部材である。回転体１３は、スライス方向に貫通した開口部を有する。開口部には、被検体Ｅが載置された天板が挿入される。回転体１３は、架台駆動部１５によって、被検体Ｅを中心とした円軌道に沿って回転される。
【００１９】
高電圧発生部１４は、Ｘ線発生部１１に対して高電圧を印加する。Ｘ線発生部１１は、この高電圧に基づいてＸ線を発生させる。Ｘ線絞り部１６は、スリット（開口）を形成し、このスリットのサイズ及び形状を変えることで、Ｘ線発生部１１から出力されたＸ線のファン角（チャンネル方向の広がり角）とＸ線のコーン角（スライス方向の広がり角）とを調整する。絞り駆動部１７は、Ｘ線絞り部１６を駆動して、スリットのサイズ及び形状を変更する。
【００２０】
データ収集部１８（ＤＡＳ：Ｄａｔａ  Ａｃｑｕｉｓｉｔｉｏｎ  Ｓｙｓｔｅｍ）は、Ｘ線検出部１２（各Ｘ線検出素子）からの検出データを収集する。更に、データ収集部１８は、収集された検出データ（電流信号）を電圧信号に変換し、この電圧信号を周期的に積分して増幅し、デジタル信号に変換する。そして、データ収集部１８は、デジタル信号に変換された検出データをコンソール装置４０に送信する。
【００２１】
（寝台装置）
寝台装置３０の天板（図示せず）には被検体Ｅが載置される。寝台装置３０は、天板に載置された被検体Ｅを、その体軸方向に移動させる。また、寝台装置３０は、天板を上下方向に移動させる。
【００２２】
（コンソール装置）
コンソール装置４０は、Ｘ線ＣＴ装置１に対する操作入力に用いられる。また、コンソール装置４０は、架台装置１０から入力された検出データから被検体Ｅの内部形態を表すＣＴ画像データ（断層画像データやボリュームデータ）を再構成する。コンソール装置４０は、制御部４１と、スキャン制御部４２と、処理部４３と、記憶部４４と、表示部４５と、操作部４６とを含んで構成される。
【００２３】
制御部４１、スキャン制御部４２及び処理部４３は、たとえば処理装置と記憶装置を含んで構成される。処理装置としては、たとえば、ＣＰＵ（Ｃｅｎｔｒａｌ  Ｐｒｏｃｅｓｓｉｎｇ  Ｕｎｉｔ）、ＧＰＵ（Ｇｒａｐｈｉｃ  Ｐｒｏｃｅｓｓｉｎｇ  Ｕｎｉｔ）、又はＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）が用いられる。記憶装置は、たとえば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＨＤＤ（Ｈａｒｄ  Ｄｉｓｃ  Ｄｒｉｖｅ）を含んで構成される。記憶装置には、Ｘ線ＣＴ装置１の各部の機能を実行するためのコンピュータプログラムが記憶されている。処理装置は、これらコンピュータプログラムを実行することで、上記機能を実現する。制御部４１は、装置各部を制御する。
【００２４】
スキャン制御部４２は、Ｘ線によるスキャンに関する動作を統合的に制御する。この統合的な制御は、高電圧発生部１４の制御と、架台駆動部１５の制御と、絞り駆動部１７の制御と、寝台装置３０の制御とを含む。高電圧発生部１４の制御は、Ｘ線発生部１１に対して所定の高電圧を所定のタイミングで印加させるように高電圧発生部１４を制御するものである。架台駆動部１５の制御は、所定のタイミング及び所定の速度で回転体１３を回転駆動させるように架台駆動部１５を制御するものである。絞り制御部１７の制御は、Ｘ線絞り部１６が所定のサイズ及び形状のスリットを形成するように絞り駆動部１７を制御するものである。寝台装置３０の制御は、所定の位置に所定のタイミングで天板を移動させるように寝台装置３０を制御するものである。なお、ボリュームスキャンでは、天板の位置を固定した状態でスキャンが実行される。また、ヘリカルスキャンでは、天板を移動させながらスキャンが実行される。
【００２５】
処理部４３は、架台装置１０（データ収集部１８）から送信された検出データに対して各種処理を実行する。処理部４２は、前処理部４３１と、再構成処理部４３２と、レンダリング処理部４３３と、位置関係情報生成部４３４とを含んで構成される。
【００２６】
前処理部４３１は、架台装置１０からの検出データに対して対数変換処理、オフセット補正、感度補正、ビームハードニング補正等を含む前処理を行って、投影データを生成する。
【００２７】
再構成処理部４３２は、前処理部４３１により生成された投影データに基づいて、ＣＴ画像データ（断層画像データやボリュームデータ）を生成する。断層画像データの再構成処理としては、たとえば、２次元フーリエ変換法、コンボリューション・バックプロジェクション法等、任意の方法を適用することができる。ボリュームデータは、再構成された複数の断層画像データを補間処理することにより生成される。ボリュームデータの再構成処理としては、たとえば、コーンビーム再構成法、マルチスライス再構成法、拡大再構成法等、任意の方法を適用することができる。上述した多列のＸ線検出器を用いたボリュームスキャンにおいては、広範囲のボリュームデータを再構成することができる。
【００２８】
再構成処理は、あらかじめ設定された再構成条件に基づいて実行される。再構成条件には、様々な項目（条件項目ということがある）が含まれる。条件項目の例として、ＦＯＶ（ｆｉｅｌｄ  ｏｆ  ｖｉｅｗ）、再構成関数などがある。ＦＯＶは視野サイズを規定する条件項目である。再構成関数は、画像の平滑化、鮮鋭化等の画質特性を規定する条件項目である。再構成条件は、自動で設定されてもよいし、手動で設定されてもよい。自動設定の例として、撮影部位ごとにあらかじめ設定された内容を、撮影部位の指定に対応して選択的に適用する方法がある。手動設定の例として、所定の再構成条件設定画面を表示部４５に表示させ、操作部４６を用いて再構成条件設定画面を操作する方法がある。ＦＯＶの設定は、投影データに基づく画像やスキャノグラムを参照して行われる。また、所定のＦＯＶを自動的に設定することもできる（たとえばスキャン範囲全体をＦＯＶとして設定する場合）。
【００２９】
レンダリング処理部４３３は、たとえば、ＭＰＲ処理とボリュームレンダリングを実行可能である。ＭＰＲ処理は、再構成処理部４２ｂにより生成されたボリュームデータに任意の断面を設定してレンダリング処理を施すことにより、この断面を表すＭＰＲ画像データを生成する画像処理である。ボリュームレンダリングは、任意の視線（レイ）に沿ってボリュームデータをサンプリングし、その値（ＣＴ値）を加算していくことにより、被検体Ｅの３次元領域を表す擬似的３次元画像データを生成する画像処理である。
【００３０】
位置関係情報生成部４３４は、データ収集部１８から出力された検出データに基づいて、画像の間の位置関係を表す位置関係情報を生成する。位置関係情報は、再構成条件が異なる複数の画像、特にＦＯＶが異なる複数の画像が形成される場合に生成される。
【００３１】
ＦＯＶを含む再構成条件が設定されると、再構成処理部４３２は、設定されたＦＯＶに対応する投影データのデータ領域を特定し、このデータ領域と他の再構成条件とに基づいて再構成処理を実行する。それにより、設定されたＦＯＶのボリュームデータが生成される。位置関係情報生成部４３４は、このデータ領域の位置情報を取得する。
【００３２】
異なる再構成条件に基づく２以上のボリュームデータが生成されると、各ボリュームデータに関する位置情報が得られる。これら２以上の位置情報を互いに対応付けることが可能である。その具体例として、投影データ全体に対してあらかじめ定義された座標系に基づく座標を位置情報として用いる。それにより、２以上のボリュームデータの位置を同じ座標系の座標で表現することができる。これら座標（の組み合わせ）が、これらボリュームデータの位置関係情報となり、更にはこれらボリュームデータをレンダリングして得られる２以上の画像の位置関係情報となる。
【００３３】
投影データの代わりにスキャノグラムを用いて位置関係情報を生成することも可能である。この場合においても投影データの場合と同様に、スキャノグラム全体にあらかじめ定義された座標系の座標で、スキャノグラムを参照して設定されたＦＯＶを表現することで位置関係情報を生成できる。この処理は、ボリュームスキャンの場合だけでなく他のスキャン態様（ヘリカルスキャン等）の場合においても適用可能である。
【００３４】
（記憶部、表示部、操作部）
記憶部４４は、検出データ、投影データ、再構成処理後の画像データ等を記憶する。表示部４５は、ＬＣＤ（Ｌｉｑｕｉｄ  Ｃｒｙｓｔａｌ  Ｄｉｓｐｌａｙ）等の表示デバイスによって構成される。操作部４６は、Ｘ線ＣＴ装置１に対する各種の指示入力や情報入力に用いられる。操作部４６は、たとえばキーボード、マウス、トラックボール、ジョイスティック等により構成される。また、操作部４６は、表示部４５に表示されたＧＵＩ（Ｇｒａｐｈｉｃａｌ  Ｕｓｅｒ  Ｉｎｔｅｒｆａｃｅ）を含んでいてもよい。
【００３５】
［動作］
この実施形態に係るＸ線ＣＴ装置１の動作について説明する。以下、第１〜第４の動作例を説明する。第１の動作例では、ＦＯＶが重複する２以上の画像を表示させる場合について説明する。第２の動作例では、ＦＯＶが最大の画像（大域画像）を、これに含まれるＦＯＶの画像（局所画像）の分布を表すマップとして利用する場合について説明する。第３の動作例では、２以上の画像のＦＯＶを一覧表示する場合について説明する。第４の動作例では、再構成条件の設定内容を表示させる場合について説明する。
【００３６】
〔第１の動作例〕
この動作例は、ＦＯＶが重複する２以上の画像を表示させるものである。ここでは、ＦＯＶが異なる２つの画像を表示させる場合について説明する。３つ以上の画像を表示させる場合においても同様の処理が実行される。この動作例の流れを図２に示す。
【００３７】
（Ｓ１：検出データの収集）
まず、寝台装置３０の天板に被検体Ｅを載置し、架台装置１０の開口部に挿入する。所定のスキャン開始操作がなされると、制御部４１は、スキャン制御部４２に制御信号を送る。この制御信号を受けたスキャン制御部４２は、高電圧発生部１４、架台駆動部１５及び絞り駆動部１７を制御して、被検体ＥをＸ線でスキャンさせる。Ｘ線検出部１２は、被検体Ｅを透過したＸ線を検出する。データ収集部１８は、スキャンに伴いＸ線検出器１２から逐次に生成される検出データを収集する。データ収集部１８は、収集された検出データを前処理部４３１に送る。
【００３８】
（Ｓ２：投影データの生成）
前処理部４３１は、データ収集部１８からの検出データに対して前述の前処理を施して投影データを生成する。
【００３９】
（Ｓ３：第１の再構成条件の設定）
投影データに基づいて画像を再構成するための第１の再構成条件が設定される。この設定処理にはＦＯＶの設定が含まれる。ＦＯＶの設定は、たとえば、投影データに基づく画像を参照して手動で行われる。なお、スキャノグラムを別途取得した場合には、このスキャノグラムを参照してＦＯＶを設定することができる。また、所定のＦＯＶを自動で設定することもできる。
【００４０】
（Ｓ４：第１のボリュームデータの生成）
再構成処理部４３２は、第１の再構成条件に基づく再構成処理を投影データに施すことにより、第１のボリュームデータを生成する。
【００４１】
（Ｓ５：第２の再構成条件の設定）
続いて、ステップ３と同様にして第２の再構成条件が設定される。この設定処理にもＦＯＶの設定が含まれる。
【００４２】
（Ｓ６：第２のボリュームデータの生成）
再構成処理部４３２は、第２の再構成条件に基づく再構成処理を投影データに施すことにより、第２のボリュームデータを生成する。
【００４３】
ステップ３〜ステップ６の処理の概要を図３に示す。上記処理により、第１の再構成条件に基づく再構成処理を投影データＰに施すことにより生成された第１のボリュームデータＶ１と、第２の再構成条件に基づく再構成処理を投影データＰに施すことにより生成された第２のボリュームデータＶ２とが得られる。
【００４４】
第１のボリュームデータＶ１のＦＯＶと第２のボリュームデータＶ２のＦＯＶとは重複している。ここでは、第１のボリュームデータＶ１のＦＯＶが、第２のボリュームデータＶ２のＦＯＶに含まれるものとする。このような設定は、たとえば、第２のボリュームデータに基づく画像により広域を観察し、第１のボリュームデータに基づく画像により注目部位（臓器、疾患部等）を観察する場合などに用いられる。
【００４５】
（Ｓ７：位置関係情報の生成）
位置関係情報生成部４３４は、設定された各ＦＯＶのボリュームデータについての位置情報を投影データ又はスキャノグラムに基づいて取得し、取得された２つの位置情報を対応付けることにより位置関係情報を生成する。
【００４６】
（Ｓ８：ＭＰＲ画像データの生成）
レンダリング処理部４３３は、広域のボリュームデータＶ２に基づくＭＰＲ画像データ（広域ＭＰＲ画像データ）を生成する。この広域ＭＰＲ画像データは、直交３軸画像のいずれかの画像データでもよいし、任意に設定された断面に基づくオブリーク画像の画像データでもよい。
【００４７】
また、レンダリング処理部４３３は、広域ＭＰＲ画像データと同じ断面について、狭域のボリュームデータＶ１に基づくＭＰＲ画像データ（狭域ＭＰＲ画像データ）を生成する。
【００４８】
（Ｓ９：広域ＭＰＲ画像の表示）
制御部４１は、広域ＭＰＲ画像データに基づく画像（広域ＭＰＲ画像）を表示部４５に表示させる。
【００４９】
（Ｓ１０：ＦＯＶ画像の表示）
更に、制御部４１は、２つのボリュームデータＶ１、Ｖ２に関する位置関係情報に基づいて、広域ＭＰＲ画像内における、狭域ＭＰＲ画像データに基づく画像(狭域ＭＰＲ画像)の位置を表すＦＯＶ画像を、広域ＭＰＲ画像に重ねて表示させる。なお、ユーザが操作部４６を用いて所定の操作を行ったことに対応してＦＯＶ画像を表示させてもよいし、広域ＭＰＲ画像が表示されている間、常にＦＯＶ画像を表示させてもよい。
【００５０】
ＦＯＶ画像の表示例を図４に示す。図４では、広域ＭＰＲ画像Ｇ２内における狭域ＭＰＲ画像の位置を表すＦＯＶ画像Ｆ１が、広域ＭＰＲ画像Ｇ２に重畳表示されている。
【００５１】
（Ｓ１１：ＦＯＶ画像の指定）
ユーザは、狭域ＭＰＲ画像を表示させるために、操作部４６を用いてＦＯＶ画像Ｆ１を指定する。この指定操作は、たとえば、マウスによるＦＯＶ画像Ｆ１のクリック操作である。
【００５２】
（Ｓ１２：狭域ＭＰＲ画像の表示）
ＦＯＶ画像Ｆ１の指定がなされると、制御部４１は、ＦＯＶ画像Ｆ１に対応する狭域ＭＰＲ画像を表示部４５に表示させる。このときの表示態様は、たとえば次のいずれかである：（１）図５Ａに示す、広域ＭＰＲ画像Ｇ２から狭域ＭＰＲ画像Ｇ１への切り替え表示；（２）図５Ｂに示す、広域ＭＰＲ画像Ｇ２と狭域ＭＰＲ画像Ｇ１との並列表示；（３）図５Ｃに示す、広域ＭＰＲ画像Ｇ２に対する狭域ＭＰＲ画像Ｇ１の重畳表示。なお、重畳表示においては、ＦＯＶ画像Ｆ１の位置に狭域画像Ｇ１が表示される。実行される表示態様は、あらかじめ設定されていてもよいし、ユーザにより選択可能とされていてもよい。後者の場合において、操作部４６による操作内容に応じて表示態様を切り替えるようにすることが可能である。たとえば、ＦＯＶ画像Ｆ１が右クリックされたことに対応して、制御部４１は、上記３つの表示態様を提示したプルダウンメニューを表示させる。ユーザが所望の表示態様をクリックすると、制御部４１はこの選択された表示態様を実行する。第１の動作例の説明は以上である。
【００５３】
〔第２の動作例〕
この動作例は、局所画像の分布を表すマップとして大域画像を利用するものである。ここでは、ＦＯＶが異なる２つの局所画像の分布を提示する場合について説明する。３つ以上の局所画像を表示させる場合においても同様の処理が実行される。この動作例の流れを図６に示す。
【００５４】
（Ｓ２１：検出データの収集）
第１の動作例と同様にして、架台装置１０は検出データを収集し、収集された検出データを前処理部４３１に送る。
【００５５】
（Ｓ２２：投影データの生成）
前処理部４３１は、架台装置１０からの検出データに対して前述の前処理を施して投影データを生成する。
【００５６】
（Ｓ２３：大域ボリュームデータの生成）
再構成処理部４３２は、ＦＯＶの条件項目として最大ＦＯＶが適用された再構成条件に基づいて投影データを再構成することにより、最大ＦＯＶのボリュームデータ（大域ボリュームデータ）を生成する。
【００５７】
（Ｓ２４：局所画像用の再構成条件の設定）
第１の動作例と同様にして、各局所画像用の再構成条件が設定される。この再構成条件におけるＦＯＶは、最大ＦＯＶに含まれる。ここでは、第１の局所画像用の再構成条件と、第２の局所画像用の再構成条件がそれぞれ設定される。
【００５８】
（Ｓ２５：局所ボリュームデータの生成）
再構成処理部４３２は、第１の局所画像用の再構成条件に基づく再構成処理を投影データに施すことにより、第１の局所ボリュームデータを生成する。また、再構成処理部４３２は、第２の局所画像用の再構成条件に基づく再構成処理を投影データに施すことにより、第２の局所ボリュームデータを生成する。
【００５９】
ステップ２３〜ステップ２５の処理の概要を図７に示す。上記処理により、最大ＦＯＶの再構成条件（大域再構成条件）に基づく再構成処理を投影データＰに施して得られる大域ボリュームデータＶＧと、最大ＦＯＶに含まれる局所ＦＯＶの再構成条件（局所再構成条件）に基づく再構成処理を投影データＰに施して得られる局所ボリュームデータＶＬ１、ＶＬ２が得られる。
【００６０】
（Ｓ２６：位置関係情報の生成）
位置関係情報生成部４３４は、設定された各ＦＯＶのボリュームデータＶＧ、ＶＬ１、ＶＬ２についての位置情報を投影データ又はスキャノグラムに基づいて取得し、取得された３つの位置情報を対応付けることにより位置関係情報を生成する。
【００６１】
（Ｓ２７：ＭＰＲ画像データの生成）
レンダリング処理部４３３は、大域ボリュームデータＶＧに基づくＭＰＲ画像データ（大域ＭＰＲ画像データ）を生成する。この大域ＭＰＲ画像データは、直交３軸画像のいずれかの画像データでもよいし、任意に設定された断面に基づくオブリーク画像の画像データでもよい。
【００６２】
また、レンダリング処理部４３３は、大域ＭＰＲ画像データと同じ断面について、局所ボリュームデータＶＬ１に基づくＭＰＲ画像データ（第１の局所ＭＰＲ画像データ）と、局所ボリュームデータＶＬ２に基づくＭＰＲ画像データ（第２の局所ＭＰＲ画像データ）とを生成する。
【００６３】
（Ｓ２８：ＦＯＶ分布マップの表示）
制御部４１は、ステップ２６で生成された位置関係情報に基づいて、大域ＭＰＲ画像データに基づくＭＰＲ画像（大域ＭＰＲ画像）における局所ＦＯＶの分布を表すマップ（ＦＯＶ分布マップ）を表示部４５に表示させる。
【００６４】
ＦＯＶ分布マップの例を図８に示す。このＦＯＶ分布マップは、第１の局所ＭＰＲ画像データの範囲を表す第１のＦＯＶ画像（第１の局所ＦＯＶ画像）ＦＬ１と、第２の局所ＭＰＲ画像データの範囲を表す第２のＦＯＶ画像（第２の局所ＦＯＶ画像）ＦＬ２を、大域ＭＰＲ画像ＧＧに重ねて表示させたものである。ここで、ユーザが操作部４６を用いて所定の操作を行ったことに対応して局所ＦＯＶ画像ＦＬ１、ＦＬ２を表示させてもよいし、大域ＭＰＲ画像ＧＧが表示されている間、常に局所ＦＯＶ画像ＦＬ１、ＦＬ２を表示させてもよい。
【００６５】
（Ｓ２９：局所ＦＯＶ画像の指定）
ユーザは、所望の局所ＭＰＲ画像を表示させるために、この局所ＭＰＲ画像に対応する局所ＦＯＶ画像を操作部４６を用いて指定する。この指定操作は、たとえば、マウスによる局所ＦＯＶ画像のクリック操作である。
【００６６】
（Ｓ３０：局所ＭＰＲ画像の表示）
局所ＦＯＶ画像の指定がなされると、制御部４１は、指定された局所ＦＯＶ画像に対応する局所ＭＰＲ画像を表示部４５に表示させる。このときの表示態様は、たとえば第１の動作例と同様の切り替え表示、並列表示又は重畳表示である。第２の動作例の説明は以上である。
【００６７】
〔第３の動作例〕
この動作例は、２以上の画像のＦＯＶを一覧表示するものである。ここでは、最大ＦＯＶ内に局所ＦＯＶを一覧表示する場合について説明するが、これ以外の一覧表示態様を適用することも可能である。たとえば、各ＦＯＶに名称（部位名、臓器名等）を付し、これら名称のリストを表示することが可能である。この動作例の流れを図９に示す。
【００６８】
（Ｓ４１：検出データの収集）
第１の動作例と同様にして、架台装置１０は検出データを収集し、収集された検出データを前処理部４３１に送る。
【００６９】
（Ｓ４２：投影データの生成）
前処理部４３１は、架台装置１０からの検出データに対して前述の前処理を施して投影データを生成する。
【００７０】
（Ｓ４３：大域ボリュームデータの生成）
第２の動作例と同様にして、再構成処理部４３２は、最大ＦＯＶが適用された再構成条件に基づいて投影データを再構成することにより大域ボリュームデータを生成する。
【００７１】
（Ｓ４４：局所画像用の再構成条件の設定）
第１の動作例と同様にして、各局所画像用の再構成条件が設定される。この再構成条件におけるＦＯＶは、最大ＦＯＶに含まれる。ここでは、第１及び第２の局所画像用の２つの再構成条件がそれぞれ設定される。
【００７２】
（Ｓ４５：局所ボリュームデータの生成）
第２の動作例と同様にして、再構成処理部４３２は、第１及び第２の局所画像用の再構成条件に基づく再構成処理をそれぞれ投影データに施すことにより、第１及び第２の局所ボリュームデータを生成する。この処理により、図７に示す大域ボリュームデータＶＧと局所ボリュームデータＶＬ１、ＶＬ２が得られる。
【００７３】
（Ｓ４６：位置関係情報の生成）
位置関係情報生成部４３４は、設定された各ＦＯＶのボリュームデータＶＧ、ＶＬ１、ＶＬ２についての位置情報を投影データ又はスキャノグラムに基づいて取得し、取得された３つの位置情報を対応付けることにより位置関係情報を生成する。
【００７４】
（Ｓ４７：ＭＰＲ画像データの生成）
第２の動作例と同様に、レンダリング処理部４３３は、大域ボリュームデータＶＧに基づく大域ＭＰＲ画像データ、第１の局所ＭＰＲ画像データ、及び第２の局所ＭＰＲ画像データを生成する。
【００７５】
（Ｓ４８：ＦＯＶ一覧情報の表示）
制御部４１は、ステップ４６で生成された位置関係情報に基づいて、大域ＭＰＲ画像データに対応するＦＯＶ（大域ＦＯＶ）と、第１の局所ＭＰＲ画像データに対応する第１の局所ＦＯＶと、第２の局所ＭＰＲ画像データに対応する第２の局所ＦＯＶとを一覧情報（にＦＯＶ一覧情報）を表示部４５に表示させる。
【００７６】
ＦＯＶ一覧情報の第１の例を図１０に示す。このＦＯＶ一覧情報は、第１の局所ＦＯＶ画像ＦＬ１と第２の局所ＦＯＶ画像ＦＬ２を、大域ＦＯＶの範囲を表す大域ＦＯＶ画像ＦＧ内に提示したものである。ＦＯＶ一覧情報の第２の例を図１１に示す。このＦＯＶ一覧情報は、局所ボリュームデータＶＬ１の範囲を表す第１の局所ボリュームデータ画像ＷＬ１と、局所ボリュームデータＶＬ２の範囲を表す第２の局所ボリュームデータ画像ＷＬ２を、大域ボリュームデータＶＧの範囲を表す大域ボリュームデータ画像ＷＧ内に提示したものである。
【００７７】
（Ｓ４９：ＦＯＶの指定）
ユーザは、所望のＭＰＲ画像を表示させるために、このＭＰＲ画像に対応するＦＯＶを操作部４６を用いて指定する。この指定操作は、たとえば、マウスによる大域ＦＯＶ画像、局所ＦＯＶ画像、局所ボリュームデータ画像、又はＦＯＶの名称のクリック操作である。
【００７８】
（Ｓ５０：ＭＰＲ画像の表示）
ＦＯＶの指定がなされると、制御部４１は、指定されたＦＯＶに対応するＭＰＲ画像を表示部４５に表示させる。第３の動作例の説明は以上である。
【００７９】
〔第４の動作例〕
この動作例は、再構成条件の設定内容を表示させるものである。ここでは、２以上の再構成条件の間において設定内容が同じ条件項目と設定内容が異なる条件項目とを異なる態様で表示させる場合について説明する。この動作例は、第１〜第３の動作例のいずれに追加することも可能である。また、これら以外の任意の動作に対してこの動作例を適用することもできる。この動作例の流れを図１２に示す。この動作例では２つの再構成条件を設定する場合について説明するが、３つ以上の再構成条件を設定する場合においても同様の処理を行うことが可能である。なお、以下の説明には、第１〜第３の動作例におけるステップと重複するものも含まれている。
【００８０】
（Ｓ６１：再構成条件の設定）
第１の再構成条件と第２の再構成条件が設定される。各再構成条件の条件項目には、ＦＯＶと再構成関数が含まれているものとする。一例として、第１の再構成条件において、ＦＯＶは最大ＦＯＶであり、再構成関数は肺野関数であるとし、第２の再構成条件において、ＦＯＶは局所ＦＯＶであり、再構成関数は肺野関数であるとする。
【００８１】
（Ｓ６２：設定内容が異なる条件項目の特定）
制御部４１は、第１の再構成条件及び第２の再構成関数の間において、設定内容が異なる条件項目を特定する。この動作例では、ＦＯＶが異なり、再構成関数は同じであるから、設定内容が異なる条件項目としてＦＯＶが特定される。
【００８２】
（Ｓ６３：再構成条件の表示）
制御部４１は、ステップ６２で特定された条件項目とそれ以外の条件項目とを、互いに異なる態様で表示させる。この表示処理は、たとえば、第１の動作例における広域ＭＰＲ画像及びＦＯＶ画像の表示処理、第２の動作例におけるＦＯＶ分布マップの表示処理、又は第３の動作例におけるＦＯＶ一覧情報の表示処理と同時に実行される。
【００８３】
この動作例を第１の動作例に適用した場合における再構成条件の表示例を図１３に示す。表示部４５には、第１の動作例の図４に示したように、広域ＭＰＲ画像Ｇ２とＦＯＶ画像Ｆ１が表示される。
【００８４】
また、表示部４５には、第１の条件表示領域Ｃ１と第２の条件表示領域Ｃ２が設けられている。制御部４１は、ＦＯＶ画像Ｆ１（狭域ＭＰＲ画像Ｇ１）に対応する第１の再構成条件の設定内容を第１の条件表示領域Ｃ１内に表示させ、広域ＭＰＲ画像Ｇ２に対応する第２の再構成条件の設定内容を第２の条件表示領域Ｃ２内に表示させる。
【００８５】
この動作例ではＦＯＶの設定内容が異なり、再構成関数の設定内容は同じであるから、ＦＯＶの設定内容と再構成関数の設定内容とが互いに異なる態様で提示される。図１３では、ＦＯＶの設定内容は太字かつ下線付きで提示され、再構成関数の設定内容は通常太さの字かつ下線なしで提示されている。なお、表示態様はこれに限定されるものではない。たとえば、設定内容が異なるものを網掛け表示させたり、表示色を変更させたりするなど、任意の表示態様を適用することが可能である。
【００８６】
［作用・効果］
この実施形態に係るＸ線ＣＴ装置１の作用及び効果を説明する。
【００８７】
Ｘ線ＣＴ装置１は、収集部（架台装置１０）と、画像形成部（前処理部４３１、再構成処理部４３２及びレンダリング処理部４３３）と、生成部（位置関係情報生成部４３４）と、表示部４５と、制御部４１とを有する。収集部は、被検体ＥをＸ線でスキャンしてデータを収集する。画像形成部は、収集されたデータを第１の再構成条件で再構成して第１の画像を形成し、かつ、第２の再構成条件で再構成して第２の画像を形成する。生成部は、収集されたデータに基づいて、第１の画像と第２の画像との間の位置関係を表す位置関係情報を生成する。制御部４１は、位置関係情報に基づく表示情報を表示部４５に表示させる。表示情報の例として、ＦＯＶ画像、ＦＯＶ分布マップ、及びＦＯＶ一覧情報がある。このようなＸ線ＣＴ装置１によれば、表示情報を参照することにより、異なる再構成条件で再構成された画像の間の位置関係を容易に把握することが可能である。
【００８８】
位置関係情報の生成は、投影データ又はスキャノグラムに基づいて行うことができる。なお、ボリュームスキャンを行う場合にはいずれのデータも利用可能であり、ヘリカルスキャンを行う場合にはスキャノグラムを利用可能である。
【００８９】
投影データに基づいて位置関係情報を生成する場合、次のような構成を適用することが可能である。画像形成部は、前述のように、前処理部４３１、再構成処理部４３２及びレンダリング処理部４３３を含んで構成される。前処理部４３１は、架台装置１０により収集されたデータに前処理を施して投影データを生成する。再構成処理部４３２は、第１の再構成条件に基づき投影データに再構成処理を施して第１のボリュームデータを生成し、かつ、第２の再構成条件に基づき投影データに再構成処理を施して第２のボリュームデータを生成する。レンダリング処理部４３３は、第１のボリュームデータにレンダリング処理を施して第１の画像を形成し、かつ、第２のボリュームデータにレンダリング処理を施して第２の画像を形成する。そして、位置関係情報生成部４３４は、投影データに基づいて位置関係情報を生成する。
【００９０】
一方、スキャノグラムに基づいて位置関係情報を生成する場合には、次のような構成を適用することができる。架台装置１０は、Ｘ線の照射方向を固定して被検体Ｅをスキャンすることによりスキャノグラムを取得する。位置関係情報生成部４３４は、スキャノグラムに基づいて位置関係情報を生成する。
【００９１】
第１の画像のＦＯＶと第２の画像のＦＯＶとが重複する場合、一方の画像の位置を表す情報を他方の画像上に表示させることが可能である。そのための構成例として次のようなものがある。第１の再構成条件及び前記第２の再構成条件は、互いに重複するＦＯＶを条件項目として含んでいる。制御部４１は、第１の画像のＦＯＶを表すＦＯＶ画像（表示情報）を第２の画像に重ねて表示させる。これにより、第２の画像における第１の画像の位置（つまり第１の画像と第２の画像との位置関係）を容易に把握することができる。
【００９２】
この構成が適用される場合において、操作部４６を用いてＦＯＶ画像が指定されたことに対応して第１の画像を表示部４５に表示させるように構成できる。この表示処理は制御部４１により行われる。これにより、第１の画像の閲覧への移行をスムースに行うことができる。この場合の表示制御の例として、第２の画像から第１の画像への切り替え表示、第１の画像と第２の画像との並列表示、及び、第１の画像と第２の画像との重畳表示がある。
【００９３】
ＦＯＶ画像を常時表示させることもできるが、ユーザの要求に対応してＦＯＶ画像を表示させるように構成することも可能である。その場合、制御部４１は、表示部４５に第２の画像が表示されているときに操作部４６が操作（クリック等）されたことに対応して、ＦＯＶ画像を第２の画像に重ねて表示させるように構成される。これにより、第１の画像の位置を確認したいときやその閲覧を望んだときにのみＦＯＶ画像を表示させることができるので、第２の画像の閲覧をＦＯＶ画像が邪魔することがない。
【００９４】
最大ＦＯＶの画像を局所画像の分布を表すマップとして使用することができる。そのための構成例として、画像形成部は、ＦＯＶの条件項目の設定内容として最大ＦＯＶを含む第３の再構成条件で再構成を行うことにより第３の画像を形成する。そして、制御部４１は、第１の画像のＦＯＶ画像及び第２の画像のＦＯＶ画像を第３の画像に重ねて表示させる。これが表示情報としてのＦＯＶ分布マップである。このようなＦＯＶ分布マップを表示させることにより、任意の再構成条件で得られた画像が、最大ＦＯＶ内においてどのように分布しているか容易に把握することができる。なお、この構成を適用する場合においても、ユーザが要求したときにのみＦＯＶ画像を表示させるように構成することが可能である。また、第３の画像上に表示されたいずれかのＦＯＶ画像がユーザにより指定されたことに対応して、そのＦＯＶ画像に対応するＣＴ画像を表示させるように構成することも可能である。
【００９５】
本診断において用いられるＦＯＶを一覧表示させることが可能である。この例は、上記のように或るＣＴ画像（第３の画像）上に他のＣＴ画像のＦＯＶ画像を表示させるものではなく、本診断で用いられる全ての又は一部のＦＯＶを一覧表示させるものである。そのための構成例として次のものがある。第１の再構成条件及び第２の再構成条件のそれぞれは、条件項目としてＦＯＶを含んでいる。制御部４１は、第１の画像のＦＯＶを表すＦＯＶ情報及び第２の画像のＦＯＶを表すＦＯＶ情報のＦＯＶ一覧情報（表示情報）を表示部４５に表示させる。これにより、本診断で用いられるＦＯＶがどのように分布しているか容易に把握することが可能である。この場合において、各臓器の模擬的な画像（輪郭画像等）をＦＯＶ画像とともに表示させることにより、各ＦＯＶの（大まかな）位置を認識できるようにしてもよい。また、ユーザが操作部４６を用いてＦＯＶ情報を指定すると、制御部４１は、指定されたＦＯＶに対応するＣＴ画像を表示部４５に表示させるように構成できる。各ＦＯＶ情報は、たとえば最大ＦＯＶに相当するサイズの表示領域内に表示される。
【００９６】
本診断で用いられる一部のＦＯＶを一覧表示させる場合において、たとえば臓器ごとにＦＯＶを分類し、指定された臓器に関するＦＯＶのみを選択的に表示させることが可能である。その具体例として、胸部の診断で適用される全てのＦＯＶを肺に関するＦＯＶの群と心臓に関するＦＯＶの群とに分類し、ユーザ等による指定に応じて各群を選択的に（排他的に）表示させることが可能である。また、ＦＯＶ以外の再構成条件の設定内容に応じてＦＯＶを分類し、指定された設定内容のＦＯＶのみを選択的に表示させることが可能である。その具体例として、条件項目「再構成関数」において、全てのＦＯＶを設定内容「肺野関数」のＦＯＶの群と「縦隔関数」のＦＯＶの群とに分類し、ユーザ等による指定に応じて各群を選択的に（排他的に）表示させることが可能である。
【００９７】
ＦＯＶに関する設定内容だけでなく任意の再構成条件を表示させることもできる。その場合、異なる再構成条件の間において設定内容が互いに異なる条件項目がある場合に、その条件項目の設定内容を他の条件項目の設定内容と異なる態様で表示させることが可能である。それにより、ユーザは、設定内容が同じであるか異なっているかを容易に認識できる。
【００９８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００９９】
１  Ｘ線ＣＴ装置
１０  架台装置
１１  Ｘ線発生部
１２  Ｘ線検出部
１３  回転体
１４  高電圧発生部
１５  架台駆動部
１６  Ｘ線絞り部
１７  絞り駆動部
１８  データ収集部
３０  寝台装置
４０  コンソール装置
４１  制御部
４２  スキャン制御部
４３  処理部
４３１  前処理部
４３２  再構成処理部
４３３  レンダリング処理部
４３４  位置関係情報生成部
４４  記憶部
４５  表示部
４６  操作部
【図１】
2013153831.tif 000003
【図２】
2013153831.tif 000004
【図３】
2013153831.tif 000005
【図４】
2013153831.tif 000006
【図５Ａ】
2013153831.tif 000007
【図５Ｂ】
2013153831.tif 000008
【図５Ｃ】
2013153831.tif 000009
【図６】
2013153831.tif 000010
【図７】
2013153831.tif 000011
【図８】
2013153831.tif 000012
【図９】
2013153831.tif 000013
【図１０】
2013153831.tif 000014
【図１１】
2013153831.tif 000015
【図１２】
2013153831.tif 000016
【図１３】
2013153831.tif 000017